(57)【特許請求の範囲】
【請求項１】
送受信アンテナ（２ａ）と押しボタン（２ｂ）とを有する無線端末機（２）を格納する導電性の格納手段（１、１ａ、１ｂ）と、
前記格納手段内に取り付けられ前記無線端末機を載置する載置手段（１０、１０ａ）と、
前記格納手段内に取り付けられ前記送受信アンテナに電磁波を送信しまた前記送受信アンテナからの電磁波を受信する測定用アンテナ（１１）と、
前記格納手段の一端面に取り付けられ前記測定用アンテナと接続された高周波端子（３）と、
前記格納手段の他端面から当該格納手段の内部方向に取り付けられるとともに、前記格納手段に取り付けられた面以外が導電性を有する網（１３）と弾性体からなる枠体（１２）とから可撓性と視認性とを有するように形成され、且つ一端面が前記押しボタンと対向且つ近接する操作手段（１６）と、
前記格納手段内面において前記操作手段が取り付けられた部分以外に貼付された電波吸収手段（１ｃ）とを具備することを特徴とするシールドボックス。
【請求項２】
前記操作手段は、
複数の棒状弾性体の組み合わせによる枠体（１２）から形成され、
前記枠体における前記格納手段の内部に取り付けられる面を除いた全ての面が前記網に囲まれていることを特徴とする請求項１に記載のシールドボックス。
【発明の詳細な説明】
【０００１】
【発明の属する技術分野】
この発明は、無線端末機等の送受信検査に用いるシールドボックスであって、特に検査に際してボタン操作等の必要がある場合に好適なシールドボックスに関する。
【０００２】
【従来の技術】
近年、携帯電話をはじめとする移動電話や、無線データ端末等（以降、移動無線端末あるいは移動無線端末機と称する）がめざましく発達して普及しているとともに、さらに需要の伸びも見込まれている。
これに伴い、これら移動無線端末機の開発サイクルも短くなり、修理等の件数も大幅に増加している。
【０００３】
ところで、移動無線端末機の開発や製品の出荷時、あるいは修理に際しては、当該機器の性能検査（性能試験）が欠かせない。
この性能検査の１つとして、送信電波の質（送信電力や占有周波数帯域幅あるいは周波数偏差等）と受信感度の検査（以降、送受信検査と称する）が挙げられる。
【０００４】
従来は、移動無線端末機は着脱自在の高周波端子（接栓）を備えており、この高周波端子に送受信アンテナが取り付けられていた。また、移動無線端末機の本体に直接送受信アンテナが取り付けられていても、高周波端子が別に備えてあった。そこで、電力計やスペクトルアナライザ、あるいは標準信号発生器等を有する試験器を、高周波ケーブルによって高周波端子に接続して送受信検査を実施していた。
【０００５】
ところが、近年の移動無線端末の普及に伴い、移動無線端末機にはより小型軽量化、低価格化が要求されるようになった。このため、高周波端子を備えず、本体に直接送受信アンテナが取り付けられる機種も開発されるようになった。
【０００６】
そこで、このように高周波端子を装備しない移動無線端末機では、一般にエア結合と称される測定方法を用いらざるを得ない。このエア結合とは、移動無線端末機に取り付けられた送受信アンテナから所定の距離の場所に測定用アンテナを設置し、この測定用アンテナを用いて試験電波を送受信するものである。
【０００７】
ところがエア結合によれば、移動無線端末機の送受信アンテナならびに測定用アンテナからは電波が送信されるため、近隣の基地局に影響を与える。また、これらアンテナは近隣の基地局からの電波ならびに雑音等の不要電波も受信してしまう。さらに、これらアンテナから送信された電波が近接する建物等に当たって生じる反射波も無視できない。
【０００８】
従って、こういったエア結合による送受信検査は、外界とは電磁界が相互に遮断され且つ内部反射のない電波暗室の中での実施が理想的であるが、電波暗室は極めて高価であるため容易に採用されない。そこで、このように高価な電波暗室に代わって、安価で手軽ななシールドボックスが開発され、用いられるようになった。
【０００９】
図３は従来のシールドボックスの一例であり、全体構成を示す斜視図である。このシードボックス１０１は、筐体１０１ａと蓋１０１ｂとから構成されており、何れも高周波電磁界に対して遮蔽効果のある金属から形成されている。
【００１０】
筐体１０１ａの一面（図３では上面）には開口面を有しており、この開口面から携帯電話機１０２（移動無線端末）を出し入れすることができる。また蓋１０１ｂは開口面を覆う形状をなしており、シールドボックス１０１の内部に格納された携帯電話機１０２を遮蔽する。
【００１１】
また、筐体１０１ａと蓋１０１ｂの何れも、その内部の全面に電波吸収体１０１ｃ、１０１ｃ・・・が貼付されている。この電波吸収体１０１ｃには様々なものが開発されているが、公知であるので、ここでは詳細な説明については省略する。
【００１２】
筐体１０１ａ内には、図示しないが携帯電話機１０２を載置するテーブルと、やはり図示しないがテーブルの下部にダイポールアンテナとを有している。このテーブルは電磁波を問題なく透過する材質が用いられており、携帯電話機１０２に取り付けられたアンテナ１０２ａとダイポールアンテナとのエア結合が可能となっている。
【００１３】
筐体１０１ａの他の一面（図３では側面）には高周波端子１０３ａと制御端子１０３ｂとを有している。この高周波端子１０３ａは上述の図示しないダイポールアンテナに接続されている。また制御端子１０３ｂは、携帯電話機１０２が有する音声端子や、無線データ端末を測定する場合にデータ端子と接続するものである。
【００１４】
【発明が解決しようとする課題】
ところで、携帯電話機１０２は電話番号の入力やその他の操作を行うための押しボタン１０２ｂを有している。携帯電話機１０２の送受信検査に際しては、携帯電話機１０２の各種操作をする必要がもあるが、外部操作やデータ伝送用のデータ端子を有さない携帯電話機１０２では、押しボタン１０２ｂによって各種操作をする必要がある。
【００１５】
そこで、蓋１０１ｂにおいて携帯電話機１０２の押しボタン１０２ｂに対応すると想定される位置には、遮蔽作用のある扉１０４ａを有する窓１０４が形成されている。また、この窓１０４には複数の小孔１０５ａ、１０５ａ・・・の形成された遮蔽板１０５が取り付けられている。図４は、窓１０４部の詳細な構成を示す斜視図である。
【００１６】
押しボタン１０２ｂ（図３参照）の操作は、この小孔１０５ａ、１０５ａ・・・の何れかを介して、操作棒１０６の先端部によって押下して行う。また、窓１０４からの操作が困難である場合には、蓋１０１ｂを解放して操作を行うことになる。
【００１７】
上述のように、窓１０４に取り付けられた遮蔽板には小孔１０５ａ、１０５ａ・・・の形成されているため、押しボタン１０２ｂの操作のために扉１０４ａ（図４参照）を解放すると遮蔽効果が低下してしまう。
【００１８】
さらに、蓋１０１ｂを解放して押しボタン１０２ｂの操作を行うとなると、シールドボックス１０１本来の遮蔽効果は期待できなくなる。このため、近隣の基地局に影響を与えてしまうとともに、測定に供されている携帯電話機１０２が近隣の基地局の回線に接続され（即ち、制御の権限が基地局に奪われ）、測定そのものが不可能になるという問題があった。
【００１９】
この発明は、このような背景の下になされたもので、近隣の基地局その他との相互の影響がなく、格納された移動無線端末機等の押しボタン操作が可能であるシールドボックスを提供することを目的としている。
【００２０】
【課題を解決するための手段】
上述した課題を解決するために、第１の発明にあっては送受信アンテナと押しボタンとを有する無線端末機を格納する導電性の格納手段と、前記格納手段内に取り付けられ前記無線端末機を載置する載置手段と、前記格納手段内に取り付けられ前記送受信アンテナに電磁波を送信しまた前記送受信アンテナからの電磁波を受信する測定用アンテナと、前記格納手段の一端面に取り付けられ前記測定用アンテナと接続された高周波端子と、前記格納手段の他端面から当該格納手段の内部方向に取り付けられるとともに前記格納手段に取り付けられた面以外が導電性と可撓性と視認性とを有する網に囲まれ且つ一端面が前記押しボタンと対向且つ近接する操作手段と、前記格納手段内面において前記操作手段が取り付けられた部分以外に貼付された電波吸収手段とを具備することを特徴とする。
【００２１】
また、第２の発明は、上記第１の発明において、前記操作手段は、複数の棒状弾性体の組み合わせによる枠体から形成され、前記枠体における前記格納手段の内部に取り付けられる面を除いた全ての面が前記網に囲まれており、前記撓む網を挟んで前記押しボタンを押下可能であることを特徴とする。
【００２２】
この発明によれば、シールドボックス内は外界とは相互に電磁波が遮蔽され、操作手段の導電性の網を介して無線端末機の押しボタンを目視しながら押下することができる。
またシールドボックス内には電波吸収手段が貼付されているとともに、当該電波吸収手段が貼付されていない操作手段は棒状弾性体の組み合わせによる枠体から形成されているため外部からの押圧力が消滅すると元の形状を維持する。このため、シールドボックス内の電磁波の反射は少なく、その反射状態も一定している。
【００２３】
【発明の実施の形態】
以下に本発明について説明する。図１は本発明の一実施の形態にかかるシールドボックス１の構成を示す側断面図である。なお本実施の形態では、移動無線端末機として携帯電話機２を適用した例を挙げて説明する。
【００２４】
図１において１ａは筐体であり、形状の一例としては同図に示すようにコの字状の断面を有している。なお、図１においては、筐体１ａの上面が開口面になっている。
【００２５】
１ｂは蓋であり、筐体１ａの開口面を覆う形状をなしており、この蓋１ｂによって筐体１ａの開口面を閉じると、本実施の形態のシールドボックス１は立方体の外観形状となる。
【００２６】
なお筐体１ａと蓋１ｂとの何れも、高周波電磁界に対して遮蔽効果のある金属（例えばアルミニウム等）から形成されている。従って、シールドボックス１内は外界とは電磁波が相互に遮蔽される。
【００２７】
また、１ｃは電磁波の反射の発生を防止する電波吸収体であり、筐体１ａの内部の全面と蓋１ｂの一部を除く内面に貼付されている。この電波吸収体１ｃの表面では、携帯電話機２が有するアンテナ２ａや後述するダイポールアンテナ１１が送信する電磁波が入射しても、この電磁波は吸収され、反射波を生じることはない。
【００２８】
筐体１ａの内部には、携帯電話機２を載置するためのテーブル１０が設けられている。このテーブル１０は、例えばアクリル樹脂のように電磁波を問題なく透過させる材質によって形成されているとともに、テーブル１０の上部台１０ａの上面はシリコン樹脂等によるマットが置かれており、載置された携帯電話機２が容易に摺動しない構成となっている。
【００２９】
上述のように、本実施の形態に示す携帯電話機２はアンテナ２ａを有している。一方、筐体１ａ内において上述の上部台１０ａを挟んでアンテナ２ａと対向する位置にはダイポールアンテナ１１が取り付けられており、筐体１ａの一側面に設けられた高周波端子３と接続されている。
【００３０】
携帯電話機２は押しボタン２ｂを有しており、蓋１ｂにおいて押しボタン２ｂの位置と対応すると想定される位置には窓４が形成されている。この窓４の外側には遮蔽作用を有する開閉自在の扉４ａが備えられており、必要に応じて止めネジ１４によって閉じることが可能である。
また蓋１ｂの内側には、後述する操作部１６を有している。
【００３１】
図２は、操作部１６の詳細な構成を示す斜視図である。図２において、１２は棒状スプリング等の弾性体により構成された枠である。この枠１２と蓋１ｂの窓４部とで略立方体を形成している。
【００３２】
この操作部１６の高さｈは、携帯電話機２をシールドボックス１に格納した際に、操作部１６の底面（図１、図２における下面）位置が携帯電話機２の押しボタン２ｂに近接する値に設定される。
【００３３】
また図１、図２に示すようにこの操作部１６にあっては、枠１２により形成された略立方体の上面（窓４によって形成される面）以外の面の外側は、可視光を透過するとともに可撓性を有する導電網１３によって囲まれている。
【００３４】
導電網１３は、例えば液晶表示板のＥＭＩ（電磁妨害）対策を目的として開発されたもの等、様々な種類のものが存在する。本実施の形態では、視認性を有するものであれば、例えば微細繊維に導電コーティングしたものや極薄導体板に複数の微小孔を有するもの等、何れにあっても適用は可能である。
【００３５】
ただしこの場合、導電網１３の目の大きさは、アンテナ２ａあるいはダイポールアンテナ１１によって送受信される電磁波の周波数に対応して、十分な遮蔽効果が得られる大きさのものを選択する。
【００３６】
一般には、導電網１３の目は極めて微小なものが多く、従って図２に示すように、直径が数ｍｍ程度の手の指によって押圧すると、指が導電網１３を貫通することはない。このため、導電網１３の押圧部は押圧された反対側へ撓む。
【００３７】
本実施の形態では、まずシールドボックス１の蓋１ｂを開放して、筐体１ａ内のテーブル１０上に携帯電話機２を載置する。このとき携帯電話機２を所定の位置に載置し、携帯電話機２のアンテナ２ａと測定用のダイポールアンテナ１１とを所定の位置関係にて対向させる。
【００３８】
上述のようにテーブル１０の上部台１０ａの上面はシリコン樹脂等のマットが置かれている。このシリコン樹脂マットは表面の摩擦係数が極めて大きいため、載置された携帯電話機２の位置が固定される。
【００３９】
次にシールドボックス１の蓋１ｂを閉じることにより、携帯電話機２が外界とは電磁波が相互に遮蔽されるとともに、図１に示すように操作部１６の底面が携帯電話機２の押しボタン２ｂと対向し、且つ近接する。
【００４０】
ここで、必要に応じて蓋１ｂに形成された扉４ａを開放すると、窓４を介して携帯電話機２の押しボタン２ｂの目視が可能である。そこで図２に示すように、所望の押しボタン２ｂに対応する操作部１６の底面の導電網１３を手の指によって押圧すると、押圧された部分が撓む。従って、所望の押しボタン２ｂを押下することができる。
【００４１】
また、上述のように扉４ａを開放すると、この扉４ａによる遮蔽効果はなくなる。しかし、操作部１６は導電網１３によって囲まれている。このため、携帯電話機２が送信する電磁波がシールドボックス１外に輻射されたり、シールドボックス１外からの電磁波が携帯電話機２に入射することはない。
【００４２】
また、操作部１６を構成する枠１２は弾性体によって形成されている。このため、手の指による押圧力が強いと導電網１３が撓むと同時に枠１２が変形し、無理なく押しボタン２ｂを押下することができる。しかし手の指による押圧力が消滅すると、枠１２は元の形状に戻ろうとする。
即ち、外部からの押圧力のない状態では、操作部１６は弾性特性によって常に一定の形状を保持しようとする。
【００４３】
ところで、シールドボックス１内面において電波吸収体１ｃが貼付されていない操作部１６は、送受信する周波数に応じて多少の反射を生じる。これについては、上述のように操作部１６の形状が一定であるために、反射の量等は計算により概ね把握することができる。このため、既知の反射量に基づいて、測定後に測定値を補正することが可能である。
【００４４】
なお本実施の形態では、シールドボックスに携帯電話機を格納する例を挙げて説明したが、携帯電話の他、無線データ端末機等、全ての移動無線端末機に適用可能である。
【００４５】
また本実施の形態では、テーブルの上部台の上面に置いたシリコン樹脂マットによって携帯電話機を固定する構成を例に挙げて説明したが、この他、上部台上に固定バンド等の固定具を設けたものであってもよい。
【００４６】
さらに本実施の形態に示したシールドボックスは立方体の外観形状であるが、その内面に電波吸収体の貼付が可能で、移動無線端末機や測定用アンテナ、あるいは高周波端子の取り付けが可能な形状であれば、本実施の形態に示した形状に限定されない。
【００４７】
本実施の形態では測定用アンテナとしてダイポールアンテナを例に挙げて説明したが、この測定用アンテナの形状や取り付け位置等も、本実施の形態のものに限定されない。
【００４８】
また、操作部１６も略立方体形状のものを示したが、携帯電話機２の押しボタン２ｂと対向し、近接させることが可能な部分（あるいは面）を形成できれば、この形状に限定されたものではない。
【００４９】
【発明の効果】
以上説明したように、この発明によれば、シールドボックス内は外界とは相互に電磁波が遮蔽され、操作手段の導電性の網を介して無線端末機の押しボタンを目視しながら押下することができるので、近隣の基地局その他との相互の影響がなく、格納された移動無線端末機等の押しボタン操作が可能であるシールドボックスが実現可能であるという効果が得られる。
【００５０】
またシールドボックス内には電波吸収手段が貼付されているとともに、当該電波吸収手段が貼付されていない操作手段は棒状弾性体の組み合わせによる枠体から形成されているため外部からの押圧力が消滅すると元の形状を維持するので、シールドボックス内の電磁波の反射は少なく、その反射状態も一定している。このため、既知の反射状態に基づいて測定結果の補正が可能となり、エア結合による測定を正確に行うことができるシールドボックスが実現可能であるという効果が得られる。
【図面の簡単な説明】
【図１】  本発明の一実施の形態にかかるシールドボックス１の構成を示す側断面図である。
【図２】  図１における操作部１６の詳細な構成を示す斜視図である。
【図３】  従来のシールドボックスの一例であり、全体構成を示す斜視図である。
【図４】  図３における窓１０４部の詳細な構成を示す斜視図である。
【符号の説明】
１  シールドボックス（格納手段）
１ａ  筐体（格納手段）
１ｂ  蓋（格納手段）
１ｃ  電波吸収体（電波吸収手段）
２  携帯電話機（無線端末機）
２ａ  アンテナ（送受信アンテナ）
２ｂ  押しボタン
３  高周波端子
１０  テーブル（載置手段）
１０ａ  上部台（載置手段）
１１  ダイポールアンテナ（測定用アンテナ）
１２  枠（枠体）
１３  導電網（網）
１６  操作部（操作手段）
【図１】
0003691590.tif 000002
【図２】
0003691590.tif 000003
【図３】
0003691590.tif 000004
【図４】
0003691590.tif 000005